(57)【要約】【課題】一端に折り返し片が設けられた平板を有する建築用部材にスムーズに取り付けることができるカバー材を提供する。【解決手段】側面板３と、側面板３の縁部から突出して設けられた外片４と、外片４の内側において側面板３の縁部から突出して設けられた内片５とを備えている。内片５において側面板３の縁部から離れた位置に挿入片６が形成されている。【選択図】図１
2015224443.tif 000002
【特許請求の範囲】
【請求項１】
側面板と、
前記側面板の縁部から突出して設けられた外片と、
前記外片の内側において前記側面板の縁部から突出して設けられた内片と
を備え、
前記内片において前記側面板の縁部から離れた位置に挿入片が形成されている
カバー材。
【請求項２】
請求項１に記載のカバー材と、
一端に折り返し片が設けられた平板を有する建築用部材と
を備え、
前記平板の前記折り返し片が設けられた一端に隣り合う一端が、前記カバー材の前記外片と前記内片とで挟持され、
前記平板と前記折り返し片との間に、前記カバー材の前記挿入片が挿入されている
カバー材の取付構造。
【発明の詳細な説明】
【技術分野】
【０００１】
本発明は、水切り等の建築用部材の端部に取り付けて側面の開口をカバーするのに用いられるカバー材及びカバー材の取付構造に関する。
【背景技術】
【０００２】
従来、基礎水切り板の補助カバーとして、全体としては略板状であって、外側端部に、細巾の突片を形成し、該突片の上端及び下端に係止受部を設けて成るものが知られている（例えば、特許文献１参照）。
【０００３】
また、水切り用端部カバーとして、断面が略矩形になる縁条の断面から直交する二方向に水切枠固定縁とカバー板固定縁を条設した型枠材を切断折曲加工してなる縁型材と、該縁型材の端面に固着するカバー板とから構成してなるものが知られている（例えば、特許文献２参照）。
【先行技術文献】
【特許文献】
【０００４】
【特許文献１】実開平２−１３７４０６号公報
【特許文献２】実開平４−１８１９７号公報
【発明の概要】
【発明が解決しようとする課題】
【０００５】
特許文献１では、補助カバーは、その突片の上端及び下端に設けた係止受部を、水切り化粧板の上端及び下端に設けてある係止突起に嵌合することによって装着されている。
【０００６】
また特許文献２では、水切り用端部カバーの縁型材の水切枠固定縁を水切枠の端部に内挿した状態で、両者を固着している。
【０００７】
このように、特許文献１では補助カバーと水切り化粧板とが対応し、特許文献２では水切り用端部カバーと水切枠とが対応している。
【０００８】
しかし、特許文献１に記載の水切り化粧板及び特許文献２に記載の水切枠が、図１に示すような建築用部材２である場合には、特許文献１に記載の補助カバー及び特許文献２に記載の水切り用端部カバーを適用することは困難である。図１に示す建築用部材２は、一端に折り返し片７が設けられた平板８を有しているが、このような構造を特許文献１に記載の水切り化粧板も特許文献２に記載の水切枠も有していないからである。
【０００９】
本発明は上記の点に鑑みてなされたものであり、一端に折り返し片が設けられた平板を有する建築用部材にスムーズに取り付けることができるカバー材及びカバー材の取付構造を提供することを目的とする。
【課題を解決するための手段】
【００１０】
本発明に係るカバー材は、
側面板と、
前記側面板の縁部から突出して設けられた外片と、
前記外片の内側において前記側面板の縁部から突出して設けられた内片と
を備え、
前記内片において前記側面板の縁部から離れた位置に挿入片が形成されている。
【００１１】
本発明に係るカバー材の取付構造は、
前記カバー材と、
一端に折り返し片が設けられた平板を有する建築用部材と
を備え、
前記平板の前記折り返し片が設けられた一端に隣り合う一端が、前記カバー材の前記外片と前記内片とで挟持され、
前記平板と前記折り返し片との間に、前記カバー材の前記挿入片が挿入されている。
【発明の効果】
【００１２】
本発明によれば、一端に折り返し片が設けられた平板を有する建築用部材にカバー材をスムーズに取り付けることができる。
【図面の簡単な説明】
【００１３】
【図１】本実施形態のカバー材及び建築用部材を外側から見た斜視図である。
【図２】本実施形態のカバー材及び建築用部材を内側から見た斜視図である。
【図３】本実施形態のカバー材の取付構造を外側から見た斜視図である。
【図４】本実施形態のカバー材の取付構造を内側から見た斜視図である。
【図５】図５Ａは本実施形態のカバー材の正面図、図５Ｂは本実施形態のカバー材の背面図、図５Ｃは本実施形態のカバー材の左側面図、図５Ｄは本実施形態のカバー材の平面図、図５Ｅは本実施形態のカバー材の底面図である。
【図６】本実施形態のカバー材の展開図である。
【図７】図７Ａは本実施形態のカバー材の取付構造の左側面図、図７Ｂは本実施形態のカバー材及び建築用部材の左側面図である。
【図８】図８Ａ〜図８Ｃは本実施形態のカバー材を建築用部材に取り付ける様子を示す背面図である。
【図９】図９Ａ及び図９Ｂは本実施形態のカバー材の取付構造の一例を示す斜視図である。
【発明を実施するための形態】
【００１４】
以下、本発明の実施の形態を説明する。
【００１５】
図１及び図２に本実施形態のカバー材１及び建築用部材２の一例を示す。図１は外側から見た斜視図、図２は内側から見た斜視図である。
【００１６】
まず建築用部材２について説明する。建築用部材２は、例えば、建築物の窓などの開口部９２、土台部、軒天部において、水切り又は見切り縁として用いられる。以下では、建築用部材２を開口部９２における水切りとして用いる場合の具体例（後述の図９Ａ及び図９Ｂ参照）について説明するが、本発明はこれに限定されるものではない。
【００１７】
建築用部材２は、平板８を少なくとも有している。図１及び図２に示す建築用部材２は、平板８のほか、斜面板８２、後面板８３、段差形成片８４、固定板８５を有している。
【００１８】
平板８は、左右方向に細長い矩形状であり、長尺帯状に形成されている。平板８の一端（下端）には折り返し片７が設けられている。折り返し片７は、平板８の下端から平板８の裏側に折り返して形成されている。
【００１９】
斜面板８２は、平板８の上端から後方に向かって上り傾斜するように設けられている。雨水などの水滴はこの斜面板８２上を上から下に伝って外側に排出される。
【００２０】
後面板８３は、斜面板８２の上端から上方に向かって設けられている。
【００２１】
段差形成片８４は、後面板８３の上端から前方に向かって設けられている。
【００２２】
固定板８５は、段差形成片８４の前端から上方に向かって設けられている。固定板８５の上端には上折り返し片８６が設けられている。上折り返し片８６は、固定板８５の上端から固定板８５の裏側に折り返して形成されている。固定板８５が前側、後面板８３が後側に位置するように、段差形成片８４によって、固定板８５と後面板８３との間に段差が形成されている。外壁９１などへの建築用部材２の固定は、固定板８５及び後面板８３の少なくともいずれかのビス留めなどにより行うことができる。
【００２３】
上記のような建築用部材２は、金属板を折り曲げて形成することができる。金属板としては、例えば、溶融５５％アルミニウム−亜鉛合金めっき鋼板を挙げることができる。建築用部材２の表面にはフッ素焼付塗装が施されていることが好ましい。これにより、経年変化による色落ちが少なく長期にわたって美観を保つことができる。金属板の厚さは特に限定されない。
【００２４】
次にカバー材１について説明する。カバー材１は、建築用部材２の端部に取り付けて側面の開口をカバーするのに用いられる。以下では、上述の建築用部材２に対して好適に用いられるカバー材１の具体例について説明するが、本発明はこれに限定されるものではない。
【００２５】
カバー材１は、側面板３と、外片４と、内片５とを少なくとも備えている。図１及び図２に示すカバー材１は、側面板３、外片４、内片５のほか、上外片４２及び上内片５２を備えている。このカバー材１を前・後・左・上・下の５方向から見た状態を図５Ａ〜図５Ｅに示す。
【００２６】
側面板３は、台形状に形成されている。この形状は、建築用部材２の端部において平板８及び斜面板８２の縁部を隣り合う二辺とする台形の開口とほぼ同じ形状である。
【００２７】
外片４は、側面板３の前方の縁部から側方に突出して設けられている。
【００２８】
内片５は、外片４の内側において側面板３の前方の縁部から外片４と同じ向きに突出して設けられている。内片５において側面板３の前方の縁部から離れた位置に挿入片６が形成されている。この挿入片６は、図１及び図２では、内片５の下端において、側面板３の前方の縁部から離れた位置から下方に突出して設けられている。挿入片６の突出長さは、建築用部材２の折り返し片７の上下方向における幅とほぼ同じである。内片５の下端において挿入片６と側面板３との間には切り欠き５１１が設けられている。内片５の前面にはリブ５１２が形成されている。リブ５１２は、楕円形又は円形であり、前方に突出して設けられている。リブ５１２は、外片４の裏面に接触していなくてもよいし接触していてもよい。図示省略しているが、外片４の後面にリブが形成されていてもよい。
【００２９】
図１及び図２では、左右方向において、側面板３の前方の縁部からの内片５の突出長さが外片４の突出長さよりも長いが、内片５の突出長さが外片４の突出長さよりも短くてもよいし、両者が同じでもよい。外片４と内片５との間の隙間は、建築用部材２の平板８の厚さとほぼ同じである。
【００３０】
上外片４２は、側面板３の上方の縁部から側方（外片４及び内片５と同じ向き）に突出して設けられている。図１及び図２に示すように、左右方向において、側面板３の上方の縁部からの上外片４２の突出長さは、側面板３の前方の縁部からの外片４の突出長さと揃っていることが美観の点で好ましいが、これに限定されるものではない。
【００３１】
上内片５２は、上外片４２の内側において側面板３の上方の縁部から上外片４２と同じ向きに突出して設けられている。上内片５の上面にはリブ５２２が形成されている。リブ５２２は、楕円形又は円形であり、上方に突出して設けられている。リブ５２２は、上外片４２の裏面に接触していなくてもよいし接触していてもよい。図示省略しているが、上外片４２の下面にリブが形成されていてもよい。
【００３２】
図１及び図２では、左右方向において、側面板の３の上方の縁部からの上内片５２の突出長さが上外片４２の突出長さよりも長いが、上内片５２の突出長さが上外片４２の突出長さよりも短くてもよいし、両者が同じでもよい。上外片４２と上内片５２との間の隙間は、建築用部材２の斜面板８２の厚さとほぼ同じである。
【００３３】
上記のようなカバー材１は、金属板を折り曲げて形成することができる。図６にカバー材１の展開図の一例を示す。金属板としては、例えば、溶融５５％アルミニウム−亜鉛合金めっき鋼板を挙げることができる。金属板の材質は建築用部材２と同じでもよいし異なっていてもよい。カバー材１の表面にはフッ素焼付塗装が施されていることが好ましい。これにより、経年変化による色落ちが少なく長期にわたって美観を保つことができる。金属板の厚さは特に限定されない。上述のカバー材１は、建築用部材２の右側の端部に取り付けられるものであるが、左側の端部に取り付けられるカバー材１においては、外片４、内片５、上外片４２及び上内片５２の突出の向きが、図１及び図２に示すカバー材１と左右逆である。
【００３４】
次にカバー材１の取付構造について説明する。カバー材１の取付構造は、上述のカバー材１と、建築用部材２とを備えている。図３、図４、図７Ａに本実施形態のカバー材１の取付構造の一例を示す。図３は外側から見た斜視図、図４は内側から見た斜視図、図７Ａは左側面図である。図７Ｂはカバー材１及び建築用部材２の左側面図である。
【００３５】
図９Ａ及び図９Ｂは、建築用部材２を建築物の窓などの開口部９２における水切りとして用いた場合のカバー材１の取付構造の一例を示す。このようなカバー材１の取付構造は、次のような作業により形成することができる。まず建築物の施工現場において、建築物の開口部９２の左右方向の長さに合わせて建築用部材２を切断機で切断する。次に図９Ａに示すように、この建築用部材２の固定板８５を開口部９２の下部の外壁９１にビスなどにより固定し、開口部９２の周囲に枠部材９３を取り付けて、建築用部材２の固定板８５を枠部材９３で覆い隠す。次に図９Ａに示すように、建築用部材２の左右の端部にカバー材１を取り付けると、図９Ｂに示すようなカバー材１の取付構造を形成することができる。
【００３６】
上述の作業を行う場合、特に建築用部材２を切断するときに、図１及び図２に示すように、平板８の下端の左右の端部において、狭間隔領域１０が形成されるおそれがある。狭間隔領域１０とは、平板８と折り返し片７との間隔が狭く、カバー材１の挿入片６を挿入するのが困難な領域のことをいう。これに対して、平板８の下端において平板８と折り返し片７との間隔が適正であり、カバー材１の挿入片６を挿入するのに支障がない領域のことを以下では適正間隔領域１１という。狭間隔領域１０と適正間隔領域１１とは隣接しているが、この境界付近では平板８と折り返し片７との間隔は連続的に変化している。
【００３７】
本実施形態では、建築用部材２の切断後などに狭間隔領域１０が形成されたとしても、図８Ａ〜図８Ｃに示すようにして、建築用部材２の端部にカバー材１をスムーズに取り付けることができる。カバー材１の内片５の下端には、上述のように側面板３から順に切り欠き５１１及び挿入片６が設けられている。切り欠き５１１が占める面積は、狭間隔領域１０の面積とほぼ同じかそれよりも若干広い。切り欠き５１１の左右方向の長さは、狭間隔領域１０の左右方向の長さとほぼ同じかそれよりも若干長い。このようなカバー材１を建築用部材２の端部に取り付けるにあたっては、図８Ａ及び図８Ｂに示すように、挿入片６が狭間隔領域１０を乗り越えるようにしてカバー材１を傾けつつ、先に挿入片６を狭間隔領域１０の隣の適正間隔領域１１に挿入する。これと同時に、建築用部材２の平板８の端部をカバー材１の外片４と内片５とで挟持しながら、図８Ａ及び図８Ｂの矢印の向きにカバー材１をスライドさせる。さらに続けて建築用部材２の斜面板８２の端部をカバー材１の上外片４２と上内片５２とで挟持しながら、カバー材１をスライドさせて立ち上げると、図８Ｃに示すようなカバー材１の取付構造を形成することができる。このように、カバー材１を建築用部材２の端部に取り付ける際には接着剤も釘も不要である。
【００３８】
建築用部材２に狭間隔領域１０が形成されていなければ、カバー材１をそのまま横方向にスライドさせて建築用部材２の端部に取り付けることができる。また意図的にあらかじめ狭間隔領域１０を形成しておいてもよい。さらにカバー材１の取付構造を形成した後に狭間隔領域１０をかしめて、より強固にカバー材１を建築用部材２に固定するようにしてもよい。建築用部材２に狭間隔領域１０が形成されている場合、図８Ａ〜図８Ｃに示すようにして一旦カバー材１を建築用部材２に取り付けてしまえば、挿入片６が狭間隔領域１０で引っ掛かることによって、カバー材１が建築用部材２から横方向に外れることを抑制することができる。
【００３９】
図３及び図４に示すカバー材１の取付構造において、建築用部材２の平板８の折り返し片７が設けられた一端（下端）に隣り合う一端（右側の端部）が、カバー材１の外片４と内片５とで挟持されている。内片５の前面にリブ５１２が形成されていると、このリブ５１２と外片４とでより強固に平板８を挟持することができる。また建築用部材２の狭間隔領域１０を避けて、適正間隔領域１１において平板８と折り返し片７との間に、カバー材１の挿入片６が挿入されている。またカバー材１の切り欠き５１１の範囲内に狭間隔領域１０が収まっている。さらに建築用部材２の斜面板８２の右側の端部が、カバー材１の上外片４２と上内片５２とで挟持されている。上内片５２の上面にリブ５２２が形成されていると、このリブ５２２と上外片４２とでより強固に斜面板８２を挟持することができる。
【００４０】
以上のように本実施形態によれば、一端に折り返し片７が設けられた平板８を有する建築用部材２にカバー材１をスムーズに取り付けることができる。このようなスムーズな取り付けが可能な理由は、建築用部材２に狭間隔領域１０が形成されていても、カバー材１に、狭間隔領域１０を収容できる切り欠きが５１１が設けられており、さらに狭間隔領域１０を避けて適正間隔領域１１に挿入できる挿入片６が設けられているからである。
【符号の説明】
【００４１】
１  カバー材
２  建築用部材
３  側面板
４  外片
５  内片
６  挿入片
７  折り返し片
８  平板
【図１】
2015224443.tif 000003
【図２】
2015224443.tif 000004
【図３】
2015224443.tif 000005
【図４】
2015224443.tif 000006
【図５】
2015224443.tif 000007
【図６】
2015224443.tif 000008
【図７】
2015224443.tif 000009
【図８】
2015224443.tif 000010
【図９】
2015224443.tif 000011